(57)【要約】【課題】近接無線技術のような近距離の通信可能領域を持つ機器同士で通信したときに、データの転送方向を自動で設定できるようにして、ユーザが行う設定の煩わしさを軽減する。【解決手段】無線通信回線を介してデータの送受信を行う無線送受信装置において、当該無線送受信装置の動きを検出する検出部（１０１ａ，１０１ｂ）を設け、通信部（１０３ａ，１０３ｂ）が通信可能状態になったときに、通信先の装置に記憶された動き情報を送るとともに、前記通信先の装置から通信先の装置の動き情報を取得し、自身の動き情報及び通信先の装置の動き情報を比較して、自身を送信モード又は受信モードに決定する。【選択図】  図１
2010114606.tif 000002
【特許請求の範囲】
【請求項１】
無線通信回線を介してデータの送受信を行う無線送受信装置であって、
別の装置と通信する通信手段と、
当該無線送受信装置の動きを検出する検出手段と、
前記検出手段で検出された動き情報を記憶する記憶手段と、
当該無線送受信装置を、データの送受信における送信モード又は受信モードに決定する決定手段と、
前記通信手段が通信可能状態になったときに、通信先の装置から当該通信先の装置の動き情報を取得する手段とを有し、
前記決定手段は、前記記憶手段に記憶された動き情報及び前記取得した通信先の装置の動き情報を基に、前記送信モード又は前記受信モードを決定することを特徴とする無線送受信装置。
【請求項２】
前記通信先の装置に前記記憶手段に記憶された動き情報を送る手段を有することを特徴とする請求項１に記載の無線送受信装置。
【請求項３】
前記決定手段は、前記記憶手段に記憶された動き情報と、前記通信先の装置の動き情報とを比較し、当該無線送受信装置の動きのほうが大きいと判断される場合に、前記送信モードとすることを特徴とする請求項１に記載の無線送受信装置。
【請求項４】
前記決定手段は、前記記憶手段に記憶された動き情報と、前記通信先の装置の動き情報とを比較し、当該無線送受信装置の動きのほうが小さいと判断される場合に、前記受信モードとすることを特徴とする請求項１に記載の無線送受信装置。
【請求項５】
前記送信モード又は前記受信モードであることを表示する表示手段を有し、
前記表示手段は、前記決定手段が前記送信モード又は前記受信モードを決定した後、前記送信モード又は前記受信モードであることを表示することを特徴とする請求項１〜４のいずれか１項に記載の無線送受信装置。
【請求項６】
前記表示手段は、送受信切り換えボタンを表示し、
前記送受信切り換えボタンが選択されたときに、当該無線送受信装置の前記送信モード又は前記受信モードを切り替えるようにしたことを特徴とする請求項５に記載の無線送受信装置。
【請求項７】
前記表示手段は、送受信キャンセルボタンを表示し、
前記送受信キャンセルボタンが選択されたときに、当該無線送受信装置の前記送信モード又は前記受信モードをリセットするようにしたことを特徴とする請求項５に記載の無線送受信装置。
【請求項８】
データの送受信の際に、送信するデータを選択する選択手段を有し、
当該無線送受信装置の前記送信モード又は前記受信モードが決定された後、当該決定されたモードを保持するようにして、前記通信手段が通信不可能状態になったときでも、前記選択手段でデータを選択できるようにし、
前記通信手段が通信可能状態になったときに、前記選択手段で選択されたデータを自動的に送信するようにしたことを特徴とする請求項１に記載の無線送受信装置。
【請求項９】
データの送受信の際に、送信するデータを選択する選択手段を有し、
前記表示手段は、転送開始ボタンを表示し、
前記転送開始ボタンが選択されたときに、前記選択手段で選択されたデータを送信するようにしたことを特徴とする請求項５に記載の無線送受信装置。
【請求項１０】
前記決定手段により前記送信モードと決定された場合、前記表示手段は、送信できるデータの一覧を表示することを特徴とする請求項５に記載の無線送受信装置。
【請求項１１】
前記決定手段により前記受信モードと決定された場合、前記表示手段は、当該無線送受信装置が有するデータの一覧を表示することを特徴とする請求項５に記載の無線送受信装置。
【請求項１２】
前記決定手段により前記受信モードと決定された場合、前記表示手段は、通信先の装置から送信できるデータの一覧を表示することを特徴とする請求項５に記載の無線送受信装置。
【請求項１３】
前記通信手段が通信可能状態になったときに、前記通信先の装置から該装置が送信のみ可能あるいは受信のみ可能かを示す情報を取得する取得手段を有し、
前記決定手段は、前記取得手段で前記送信のみ可能である旨の情報を取得した場合は、当該無線送受信装置を受信モードに決定し、前記取得手段で前記受信のみ可能である旨の情報を取得した場合は、当該無線送受信装置を送信モードに決定することを特徴とする請求項１に記載の無線送受信装置。
【請求項１４】
前記通信手段は、当該無線送受信装置が別の装置と近づけられることで、通信可能状態となる近接無線通信により無線通信を行うことを特徴とする請求項１〜１３のいずれか１項に記載の無線送受信装置。
【請求項１５】
無線通信回線を介してデータの送受信を行う無線送受信装置のモード設定方法であって、
別の装置と通信する通信ステップと、
当該無線送受信装置の動きを検出する検出ステップと、
前記検出ステップで検出された動き情報を記憶媒体に記憶する記憶ステップと、
前記通信ステップで通信可能状態になったときに、通信先の装置から当該通信先の装置の動き情報を取得するステップと、
前記記憶媒体に記憶された動き情報及び前記取得した通信先の装置の動き情報を基に、当該無線送受信装置を、データの送受信における送信モード又は受信モードに決定する決定ステップとを有することを特徴とする無線送受信装置のモード設定方法。
【請求項１６】
無線通信回線を介してデータの送受信を行う無線送受信装置のモード設定をコンピュータに実行させるためのプログラムであって、
別の装置と通信する通信ステップと、
当該無線送受信装置の動きを検出する検出ステップと、
前記検出ステップで検出された動き情報を記憶媒体に記憶する記憶ステップと、
前記通信ステップで通信可能状態になったときに、通信先の装置から当該通信先の装置の動き情報を取得するステップと、
前記記憶媒体に記憶された動き情報及び前記取得した通信先の装置の動き情報を基に、当該無線送受信装置を、データの送受信における送信モード又は受信モードに決定する決定ステップとをコンピュータに実行させるためのプログラム。
【発明の詳細な説明】
【技術分野】
【０００１】
本発明は、無線でデータを送受信する無線送受信装置等に関するものである。
【背景技術】
【０００２】
近年、Ｗｉｒｅｌｅｓｓ ＵＳＢやＢｌｕｅｔｏｏｔｈ等、大容量のデータを無線で伝送する技術が登場し、それらの技術を搭載した製品が普及しつつある。さらには、これまでの無線データ伝送技術に加え、無線通信可能領域が数ｃｍと極めて近い距離で通信を行う近接無線技術も提案されている。
【０００３】
近接無線技術は、通信可能領域が近いということで、常に安定した転送速度が得られる。そして、機器同士を通信可能とする際は、機器同士を近づけるという行為が必要となるため、他の機器との意図しない通信が発生せず、ペアリングや認証作業が不要で、設定の煩わしさがなくなるという特徴がある。
【０００４】
特許文献１には、無線を介して大容量のデータを転送する手法において、ビデオカメラ等の送信機器からパーソナルコンピュータ等の受信機器へデータを転送する際に、送信機器及び受信機器それぞれの設定の煩わしさを軽減するための技術が開示されている。この技術は、無線を介して送信機器からの要求情報を受信機器側で監視して自動的にデータ転送できるようにするというものである。
【０００５】
【特許文献１】特開２００２−１４２２１２号公報
【発明の開示】
【発明が解決しようとする課題】
【０００６】
しかし、特許文献１に記載の技術は、送信機器と受信機器のデータの転送方向が一意に決まっている場合にのみ適用できるものである。
【０００７】
例えばビデオカメラ等の互いに送信機器ともなり受信機器ともなり得るものがある。このような近接無線技術を搭載した機器同士で通信し、一方の機器から他方の機器へデータを転送しようと試みた場合、特許文献１の技術をそのまま適用することはできない。つまり、ユーザはどちら側が送信側となり、どちら側が受信側となるかを設定する必要がある。
【０００８】
このような設定のための操作が必要となると、「近づける、離す」という動作だけでデータ通信が可能という近接無線通信の利点を損なってしまうおそれがある。
【０００９】
本発明はこのような実情に鑑みてなされたものであり、近接無線技術のような近距離の通信可能領域を持つ機器同士で通信したときに、データの転送方向を自動で設定できるようにし、ユーザが行う設定の煩わしさを軽減することを目的とする。
【課題を解決するための手段】
【００１０】
本発明の無線送受信装置は、無線通信回線を介してデータの送受信を行う無線送受信装置であって、別の装置と通信する通信手段と、当該無線送受信装置の動きを検出する検出手段と、前記検出手段で検出された動き情報を記憶する記憶手段と、当該無線送受信装置を、データの送受信における送信モード又は受信モードに決定する決定手段と、前記通信手段が通信可能状態になったときに、通信先の装置から当該通信先の装置の動き情報を取得する手段とを有し、前記決定手段は、前記記憶手段に記憶された動き情報及び前記取得した通信先の装置の動き情報を基に、前記送信モード又は前記受信モードを決定することを特徴とする。
また、本発明の無線送受信装置のモード設定方法は、無線通信回線を介してデータの送受信を行う無線送受信装置のモード設定方法であって、別の装置と通信する通信ステップと、当該無線送受信装置の動きを検出する検出ステップと、前記検出ステップで検出された動き情報を記憶媒体に記憶する記憶ステップと、前記通信ステップで通信可能状態になったときに、通信先の装置から当該通信先の装置の動き情報を取得するステップと、前記記憶媒体に記憶された動き情報及び前記取得した通信先の装置の動き情報を基に、当該無線送受信装置を、データの送受信における送信モード又は受信モードに決定する決定ステップとを有することを特徴とする。
また、本発明のプログラムは、無線通信回線を介してデータの送受信を行う無線送受信装置のモード設定をコンピュータに実行させるためのプログラムであって、別の装置と通信する通信ステップと、当該無線送受信装置の動きを検出する検出ステップと、前記検出ステップで検出された動き情報を記憶媒体に記憶する記憶ステップと、前記通信ステップで通信可能状態になったときに、通信先の装置から当該通信先の装置の動き情報を取得するステップと、前記記憶媒体に記憶された動き情報及び前記取得した通信先の装置の動き情報を基に、当該無線送受信装置を、データの送受信における送信モード又は受信モードに決定する決定ステップとをコンピュータに実行させるためのプログラムである。
【発明の効果】
【００１１】
本発明によれば、近距離の通信可能領域を持つ機器同士で通信したときに、データの転送方向を自動で設定でき、ユーザが転送方向を設定する煩わしさを軽減することができる。
【発明を実施するための最良の形態】
【００１２】
以下、本発明の好適な実施の形態を図面を用いて説明する。
（第１の実施の形態）
図１は、本発明の第１の実施の形態における無線送受信システムのブロック構成図である。当該システムは、２つの無線送受信装置１００Ａ及び１００Ｂを無線通信回線を介して通信させる構成となっており、同様のブロック構成を持つ２つの無線送受信装置で構成されている。
【００１３】
図１において、１０１ａ及び１０１ｂは動き検出部であり、２つの無線送受信装置それぞれに対して動きを検出する加速度センサーやジャイロセンサー等からなる。１０３ａ及び１０３ｂは、２つの無線送受信装置を通信するための通信部である。
【００１４】
１０２ａ及び１０２ｂは２つの無線送受信装置それぞれに対して設けられたＲＡＭであり、動き検出部１０１ａ，１０１ｂで検出した動き情報や、通信部１０３ａ，１０３ｂで得られた通信相手の情報等を記憶する。１０４ａ及び１０４ｂは操作部であり、２つの無線送受信装置それぞれに対するユーザインタフェースであり、各種操作キーを備える。
【００１５】
１０５ａ及び１０５ｂは、２つの無線送受信装置それぞれに設けられたＬＣＤ等の表示部である。１０８ａ及び１０８ｂは、２つの無線送受信装置それぞれに設けられたＤＶＤ、ＨＤＤ等を含む光ディスク、半導体メモリ等の記憶媒体である。１０７ａ及び１０７ｂは、２つの無線送受信装置それぞれに設けられたインタフェースであり、それぞれ記憶媒体１０８ａ，１０８ｂとデータのやり取りをする。
【００１６】
１０６ａ及び１０６ｂは制御部であり、２つの無線送受信装置それぞれの全体の動作を制御する制御部である。
【００１７】
次に、図２及び図３は、無線送受信装置１００Ａ，１００Ｂの通信の様子を示した図である。なお、以下では無線送受信装置１００Ａ，１００Ｂをビデオカメラとして説明するが、図１のような構成を持つ無線送受信装置ならば、例えば携帯電話やＰＤＡ等であってもよい。
【００１８】
本実施の形態において通信部１０３ａ，１０３ｂは、近接無線のための通信インタフェースを有する。具体的には、通信部１０３ａ，１０３ｂが一定距離（通信可能範囲）に近接すると誘導電界が発生し、無線送受信装置１００Ａと１００Ｂとが通信可能状態となる。また、通信中に通信部１０３ａ，１０３ｂ同士を離すと、通信が切断されて通信不可能状態となる。通信可能範囲は通信方式により異なるが、本実施の形態では数ｃｍ〜十数ｃｍを想定している。
【００１９】
図２は、ビデオカメラとしての無線送受信装置１００Ａと無線送受信装置１００Ｂとが、無線通信できない範囲にいる状態（通信不可能状態）を示している。図３は、無線送受信装置１００Ａを無線送受信装置１００Ｂの方に近づけ、これらが無線通信できる範囲になった状態（通信可能状態）を示している。
【００２０】
本実施に形態において無線送受信装置１００Ａ，１００Ｂは、動き検出部１０１ａ，１０１ｂにより図２の状態で周期的に自身の動きを検出し、ＲＡＭ１０２ａ，１０２ｂにそれぞれ記憶することが可能である。本実施の形態では、この動き検出の結果を、どちらの装置がデータを送信し、どちらの装置がデータを受信するのかを決定するのに用いる。
【００２１】
具体的には、無線送受信装置１００Ａと無線送受信装置１００Ｂとが近接し、通信が確立したことに応じて、互いの動き情報を通信相手に送信する。そして、通信相手の動きと自身の動きとを比較し、自身の動きの方が大きければ自身を送信側とし、自身の動きの方が小さければ自身を受信側とする。
【００２２】
送信側、受信側の決定方法を上記のようにしたのは、通信が確立する直前は、送信側の装置の動きが受信側の装置よりも大きいと考えられることによる。つまり、例えば２人のユーザが機器間で近接無線通信を行おうとする場合、送信側の装置のユーザは、自分の機器を受信側の装置に近づけるのが直感的な操作であると考えられるからである。また、受信側の装置のユーザは、自分の機器に送信側の装置を近づけてくれるよう、自分の機器を動かさずに持っている、もしくは机の上等に置いておくのが自然と考えられるからである。
【００２３】
次に、図４は、無線送受信装置１００Ａ，１００Ｂの、動き情報に基づく送受信の関係の決定及び送信モード又は受信モードの設定（モード設定）までの動作を説明するためのフローチャートである。なお、無線送受信装置１００Ａ，１００Ｂはそれぞれ同様の処理を行うため、以下の処理を行う動作主体を無線送受信装置１００として説明する。
【００２４】
先ずステップＳ１００において無線送受信装置１００は、動き検出部１０１ａ，１０１ｂで検出された動き情報をそれぞれのＲＡＭ１０２ａ，１０２ｂにそれぞれ格納し、ステップＳ１０１に進む。
【００２５】
ステップＳ１０１においては、無線送受信装置１００は、通信可能状態になったかどうかを判定する。通信可能状態になっていなければステップＳ１００に戻り、通信状態になっていれば通信相手の確認を行い、ステップＳ１０２に進む。
【００２６】
ステップＳ１０２においては、無線送受信装置１００は、すでに送受信の関係が確立しているか否かを判定する。送受信の関係が確立していたら終了し、そうでなければステップＳ１０３に進む。
【００２７】
ステップＳ１０３においては、無線送受信装置１００は、ＲＡＭ１０２ａ，１０２ｂからそれぞれ動き情報を抽出し、ステップＳ１０４に進む。
【００２８】
ステップＳ１０４においては、無線送受信装置１００は、通信相手から動き情報を取得し、ステップＳ１０５に進む。
【００２９】
ステップＳ１０５においては、無線送受信装置１００は、どちらが大きく動いていたかを、抽出した動き情報と通信相手から取得した動き情報をもとに判断する。通信相手より大きく動いていた場合はステップＳ１０６に進み、そうでなければステップＳ１０７に進む。例えば動き情報は加速度の大きさであり、加速度の大きいほうを大きく動いていたと判断する。また、加速度をある間隔で記憶し、その積分値を比較して大きいほうを大きく動いていたと判断してもよい。
【００３０】
ステップＳ１０６においては、一方の無線送受信装置１００が自身を送信側に決定し、ステップＳ１０８に進む。
【００３１】
ステップＳ１０８においては、無線送受信装置１００は、送信側と決定した情報を通信相手に通知し、通信相手が受信側に決定したことを確認して、ステップＳ１１０に進む。そして、ステップＳ１１０では、送信モードに遷移する。
【００３２】
一方、ステップＳ１０７においては、他方の無線送受信装置１００が自身を受信側に決定し、ステップＳ１０９に進む。
【００３３】
ステップＳ１０９においては、無線送受信装置１００は、受信側と決定した情報を通信相手に通知し、通信相手が送信側に決定したことを確認して、ステップＳ１１１に進む。そして、ステップＳ１１１では、受信モードに遷移する。
【００３４】
なお、本発明は数ｃｍの範囲で無線通信可能な近接無線技術を想定している。ただし、本発明は、近接無線技術のような技術だけではなく、２つの無線送受信装置間で直接無線通信する技術に対しても適用してよい。
【００３５】
次に、送信側と受信側が決定した後の処理の流れを図５〜図９を用いて説明する。
【００３６】
図５は、無線送受信装置１００Ａ，１００Ｂが通信したときの、送信側となる無線送受信装置１００Ａの表示部１０５ａに表示される画像の一例を示した図である。なお、以下の説明では、図２，３で行った説明に基づき、無線送受信装置１００Ａを送信側とし、無線送受信装置１００Ｂを受信側として説明する。
【００３７】
通信したときに、送信側と判定されると無線送受信装置１００Ａは、送信モードに自動的に遷移し、画面上に送受信切り換えボタン２０１、送受信キャンセルボタン（以下、単にキャンセルボタン）２０２、転送開始ボタン２０３を表示する。更には、記憶媒体１０８ａに含まれる転送できるコンテンツ一覧２０４を表示する。
【００３８】
なお、コンテンツ一覧２０４は画面上に全てのコンテンツを表示することが不可能ならば、スクロールボタン等でコンテンツの一部ずつ表示できるようにしても構わない。本実施の形態では、６つのコンテンツを一画面に表示し、スクロールボタンを押すと次の６つのコンテンツを表示するような構成となっている。以下、コンテンツの一覧の表示は同様な構成を持つこととする。また、ユーザにとって受信モードか送信モードかわからない場合があるため、「送信モード」のような表示をし、ユーザが送信モードだとわかるような表示をする（２０５）。
【００３９】
図６は、無線送受信装置１００Ａ，１００Ｂが通信したときの、受信側となる無線送受信装置１００Ｂの表示部１０５ｂに表示される画像の一例を示した図である。
【００４０】
通信したときに、受信側と判定されると無線送受信装置１００Ｂは、受信モードに自動的に遷移する。受信モードの場合、無線送受信装置１００Ｂは、画面上に送受信切り換えボタン３０１、送受信キャンセルボタン（以下、単にキャンセルボタン）３０２、無線送受信装置１００Ｂの記憶媒体１０８ｂに含まれるコンテンツ一覧３０４を表示する。また、図５と同様にユーザにとって受信モードか送信モードかわからない場合があるため、「受信モード」のような表示をし、ユーザが受信モードだとわかるような表示をする（３０５）。
【００４１】
本実施の形態では、無線送受信装置１００Ａ，１００Ｂが通信したときの、送信側及び受信側にそれぞれ表示される画像において送受信切り換えボタン２０１または３０１を選択すると、これらの送信側と受信側の関係が入れ替えることができる。また、キャンセルボタン２０２または３０２を選択すると、それぞれに決定された送受信の関係をリセットすることができる。
【００４２】
そして、図５の送信側に表示される画像においては、転送するコンテンツを個別で選択することができ、転送開始ボタン２０３を選択すると、選択されたコンテンツの転送（送信）を開始することができる。
【００４３】
なお、本実施の形態の無線送受信装置はビデオカメラを想定しているため表示部が小さく通信した状態では操作しにくい場合がある。そのため、転送するコンテンツを選択する際ユーザの手元に持っていって操作した方が便利であるときがあると考えられ、通信が遮断されることが想定される。この状況に対応するために、無線送受信装置１００Ａ，１００Ｂは通信可能になった場合（通信可能に戻った場合）に、動き情報をもとに決定された送信側又は受信側、あるいは通信相手の状態を記憶（保持）するようにする。
【００４４】
このようにすることで、無線送受信装置１００Ａ，１００Ｂを通信可能範囲外に離しても送信側、受信側の関係を維持できる。具体的には、送受信の関係が確立した状態で、無線送受信装置１００Ａ，１００Ｂを通信可能範囲外に離し通信を遮断した場合に、転送するコンテンツを選択された場合でも、送信側又は受信側が保持されている。したがって、再び通信可能範囲内に近づけ通信したときに互いに通信相手の確認を行うことができる。また、記憶しておいた送信側、受信側の関係の情報を確認することができる。そして、送信側のコンテンツが選択されていた場合には、動き情報による送受信の判定を行う必要はないため、選択されたコンテンツの転送を自動的に開始するようにすることができる。
【００４５】
図７及び図８はそれぞれ送信側から受信側へデータの転送を開始したときの送信側、受信側それぞれに表示される画像を示した図であり、図７は送信側、図８は受信側を示す。図７、図８においては、キャンセルボタン２０６及び３０６がそれぞれ表示される。転送中に、キャンセルボタン２０６または３０６を選択すると転送を中止できる。転送が完了したら「転送が完了しました」等の表示を出し、ユーザに完了を知らせ、終了する。
【００４６】
図５〜図８では、送信モード、受信モードに対応する画像において各種の操作ボタンを表示するようにしたが、本実施の形態では送信モード又は受信モードが適応的に決定されるため、画像に操作部を表示してインタフェースとすることは有効なものといえる。
【００４７】
（第２の実施の形態）
次に本発明の第２の実施の形態について説明する。第２の実施の形態では、受信側の装置に通信相手の装置に含まれる転送可能なコンテンツを表示する場合を説明する。なお、無線送受信装置の構成については第１の実施の形態で説明した図１と同様のため説明は省略する。また、以下の説明では、第１の実施の形態において図２，３で行った説明に基づき、無線送受信装置１００Ａを送信側とし、無線送受信装置１００Ｂを受信側として説明する。
【００４８】
図９は、本実施の形態における受信側の無線送受信装置１００Ｂにおいて表示される画像の一例を示した図である。図９に示す画像では、送受信切り換えボタン３０１、送受信キャンセルボタン（以下、単にキャンセルボタン）３０２、転送開始ボタン３０３、送信側の無線送受信装置１００Ａの記憶媒体１０８ａに含まれるコンテンツ一覧３０６が表示される。
【００４９】
つまり、本実施の形態では、無線送受信装置１００Ａ，１００Ｂが通信した状態で、送信側から受信側へコンテンツ一覧のサムネイル画像を転送することでコンテンツ一覧３０６を受信側の無線送受信装置１００Ｂに表示するようにしている。そして、コンテンツ一覧３０６及び図２で示したコンテンツ一覧２０４は同じものであり、受信側から転送するコンテンツを選択することを可能とし、転送を開始できるようにしている。
【００５０】
図１０は、本実施の形態における送受信の関係の決定までの受信側の無線送受信装置１００Ｂの動作を説明するためのフローチャートである。なお、本図においてステップＳ２００〜ステップＳ２１０の処理は、第１の実施の形態の図４と同じであるため、差異のあるステップＳ２１１及びステップＳ２１２について説明する。
【００５１】
ステップＳ２１０で無線送受信装置１００Ｂが自身を受信側に決定した後、ステップＳ２１１において無線送受信装置１００Ｂは、無線送受信装置１００Ａからコンテンツ一覧のサムネイル画像等を取得し、ステップＳ２１２に進む。
【００５２】
そして、ステップＳ２１２においては、無線送受信装置１００Ｂは、受信モードに遷移するとともに、ステップＳ２１１で取得したコンテンツ一覧を表示する。
【００５３】
無線送受信装置１００Ｂが受信モードに遷移した後は、ユーザはコンテンツ一覧から所望の画像を選択した上、転送開始ボタン３０３を操作することで、係る情報が送信側に送信され、送信側の無線送受信装置１００Ａがコンテンツの転送を開始する。
【００５４】
（第３の実施の形態）
次に本発明の第３の実施の形態を説明する。本実施の形態では、送受信可能な無線送受信装置と、受信のみ可能又は送信のみ可能な装置とが通信した場合を説明する。なお、本実施の形態に係る無線送受信装置の構成は、第１の実施の形態の図１に示した構成に対し、いずれかの装置の動き検出部を省略したものとなる。以下では、動き検出部を有する無線送受信装置１００として説明を行う。
【００５５】
図１１は、送受信可能な無線送受信装置である無線送受信装置１００と受信のみ可能な装置であるプリンタ４００とが通信する様子を示した図である。無線送受信装置１００とプリンタ４００とが通信したときに、プリンタ４００は受信のみ可能な装置であるため、無線送受信装置１００は送信側、プリンタ４００は受信側となる。
【００５６】
図１２は、本実施の形態における送受信の関係の決定までの無線送受信装置１００の動作を説明するためのフローチャートである。
【００５７】
ステップＳ３００〜ステップＳ３０２及びステップＳ３１１〜ステップＳ３１９はそれぞれ、第１の実施の形態の図４で示したステップＳ１００〜Ｓ１０２及びステップＳ１０３〜Ｓ１１１と同様のため、差異のあるステップＳ３０３〜Ｓ３１０について説明する。
【００５８】
無線送受信装置１００とプリンタ４００とが通信し、送受信が確立していない状態のとき、ステップＳ３０３において無線送受信装置１００は、通信相手のプリンタ４００の送受信のモードが固定であるか否か判定する。プリンタ４００が固定であると判定されるとステップＳ３０４に進み、そうでなければ第１の実施の形態である動き情報で送受信を判定するステップＳ３１１に進む。
【００５９】
ステップＳ３０４においては、無線送受信装置１００は、通信相手のプリンタ４００が受信のみ可能（換言すれば、送信のみが可能）かどうか判定する。受信のみ可能であると判定されるとステップＳ３０５に進む。そうでなければステップＳ３０６に進む。ここでの判定は、プリンタ４００から送信される情報に基づき行われる。
【００６０】
ステップＳ３０５において無線送受信装置１００は、自身を送信側に決定し、ステップＳ３０７に進む。
【００６１】
ステップＳ３０７において無線送受信装置１００は、送信側と決定した情報を通信相手に通知し、通信相手が受信側に決定したことを確認して、ステップＳ３０９に進む。そして、ステップＳ３０９では、送信モードに遷移する。
【００６２】
一方、ステップＳ３０６においては、無線送受信装置１００は、自身を受信側に決定し、ステップＳ３０８に進む。
【００６３】
ステップＳ３０８において無線送受信装置１００は、受信側と決定した情報を通信相手に通知し、通信相手が送信側に決定したことを確認して、ステップＳ３１０に進む。そして、ステップＳ３１０では、受信モードに遷移する。
【００６４】
以上、本発明を、第１〜第３の実施の形態により説明した。すなわち本実施の形態では、各無線送受信装置１００Ａ，１００Ｂが動き検出の結果を用いて、どちらの装置をデータを送信する側（送信モード）にするか、どちらの装置をデータを受信する側（受信モード）にするかを決定するようにした。このような構成により、近距離の通信可能領域を持つ機器同士で通信したときに、データの転送方向を自動で設定でき、ユーザが転送方向を設定する煩わしさを軽減することができるようにした。
さらに、通信先の装置が送信あるいは受信のみが可能な装置である場合には、通信先が送信のみ可能な装置であれば自動で自身を受信側とし、通信先が受信のみ可能な装置であれば自動で自身を送信側とするようにした。このような構成により、近距離の通信可能領域を持つ機器同士で通信したときに、データの転送方向が自動で設定でき、ユーザが転送方向を設定する煩わしさを軽減することができるようにした。
【００６５】
なお、本発明の目的は、以下の処理を実行することによっても達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６６】
この場合、記憶媒体から読み出されたプログラムコード自体が前述した実施の形態の機能を実現することになり、そのプログラムコード及び該プログラムコードを記憶した記憶媒体は本発明を構成することになる。
【００６７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６９】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７０】
【図１】本発明の第１の実施の形態における無線送受信システムのブロック構成図である。
【図２】本発明の第１の実施の形態における一方の無線送受信装置と他方の無線送受信装置とが、無線通信できない範囲にいる状態を示した図である。
【図３】本発明の第１の実施の形態における一方の無線送受信装置を他方の無線送受信装置の方に近づけ、これらが無線通信できる範囲になった状態を示した図である。
【図４】本発明の第１の実施の形態における各無線送受信装置の、動き情報に基づく送受信の関係の決定及び送信モード又は受信モードの設定（モード設定）までの動作を説明するためのフローチャートである。
【図５】本発明の第１の実施の形態における各無線送受信装置が通信したときの、送信側となる無線送受信装置の表示部に表示される画像の一例を示した図である。
【図６】本発明の第１の実施の形態における各無線送受信装置が通信したときの、受信側となる無線送受信装置の表示部に表示される画像の一例を示した図である。
【図７】本発明の第１の実施の形態において送信側と決定された無線送受信装置が転送の際に表示する画像を示した図である。
【図８】本発明の第１の実施の形態において受信側と決定された無線送受信装置が転送の際に表示する画像を示した図である。
【図９】本発明の第２の実施の形態における受信側の無線送受信装置において表示される画像の一例を示した図である。
【図１０】本発明の第２の実施の形態において送受信の関係の決定までの受信側の無線送受信装置の動作を説明するためのフローチャートである。
【図１１】本発明の第３の実施の形態における送受信可能な無線送受信装置である無線送受信装置と受信のみ可能な装置であるプリンタとが通信する様子を示した図である。
【図１２】本発明の第３の実施の形態における送受信の関係の決定までの無線送受信装置の動作を説明するためのフローチャートである。
【符号の説明】
【００７１】
１００Ａ，１００Ｂ  無線送受信装置
１０１ａ，１０１ｂ  動き検出部
１０２ａ，１０２ｂ  ＲＡＭ
１０３ａ，１０３ｂ  通信部
１０４ａ，１０４ｂ  操作部
１０５ａ，１０５ｂ  表示部
１０６ａ，１０６ｂ  制御部
１０７ａ，１０７ｂ  インタフェース
１０８ａ，１０８ｂ  記憶媒体
【図１】
2010114606.tif 000003
【図２】
2010114606.tif 000004
【図３】
2010114606.tif 000005
【図４】
2010114606.tif 000006
【図５】
2010114606.tif 000007
【図６】
2010114606.tif 000008
【図７】
2010114606.tif 000009
【図８】
2010114606.tif 000010
【図９】
2010114606.tif 000011
【図１０】
2010114606.tif 000012
【図１１】
2010114606.tif 000013
【図１２】
2010114606.tif 000014